(57)【特許請求の範囲】
【請求項１】
メロディデータを含むメールデータの送受信が可能で、登録されている着信音データを変更することのできる携帯電話装置であって、
メールデータ及びメロディデータを含むメールデータを受信する受信手段と、該受信手段により受信された複数のメールデータを記憶する記憶手段と、該記憶手段に記憶された複数のメールデータから１つのメールデータを選択する選択手段と、該選択手段の操作によりメロディデータを含む１つのメールデータが選択されたとき、選択されたメールデータに含まれるメロディデータを再生する再生手段と、該再生手段により再生されたメロディデータの登録を指示する登録指令が所定の操作により入力されたとき、該メロディデータを着信音データとして登録する登録手段とを備えたことを特徴とする携帯電話装置。
【請求項２】
基地局を介してメールデータの送受信が可能な携帯電話装置であって、
メールデータを受信する受信手段と、該受信手段によりメールデータを受信したことを示す受信表示を行う受信表示手段と、前記受信手段により受信された複数のメールデータを記憶する記憶手段と、該記憶手段に記憶された複数のメールデータから１つのメールデータを選択する選択手段と、該選択手段によりメロディデータを含む１つのメールデータが選択されたとき、選択されたメールデータに含まれるメロディデータを再生する再生手段と、該再生手段により再生されたメロディデータを着信音データとして設定するか否かを入力する入力手段と、該入力手段による入力に応じて前記メロディデータを着信音データとして設定する設定手段とを備えたことを特徴とする携帯電話装置。
【請求項３】
メロディデータを含むメールデータの送受信が可能で、登録されている着信音データを変更することのできる携帯電話装置であって、
メールデータを受信する受信手段と、該受信手段により受信された複数のメールデータを記憶する記憶手段と、該記憶手段に記憶された複数のメールデータから１つのメールデータを選択する選択手段と、該選択手段により選択されたメールデータにメロディデータが含まれるとき、該メロディデータを再生する再生手段と、該再生手段により再生されたメロディデータを着信音データとして登録するか否かを指示する指示手段と、該指示手段による指示に応じて前記メロディデータを着信音データとして登録する登録手段とを備えたことを特徴とする携帯電話装置。
【請求項４】
登録されている着信音データを変更することが可能な携帯電話装置であって、
メールデータを受信する受信手段と、該受信手段により受信された複数のメールデータを記憶する記憶手段と、該記憶手段に記憶された複数のメールデータに関する情報を示した選択画面を表示する表示手段と、前記記憶手段に記憶された複数のメールデータから１つのメールデータを選択する選択手段と、該選択手段によりメロディデータを含む１つのメールデータが選択されたとき、該メールデータに含まれるメロディデータを再生する再生手段と、該再生手段により再生された前記メロディデータの登録を指示する登録指令が入力されたとき前記メロディデータを着信音データとして登録する登録手段とを備えたことを特徴とする携帯電話装置。
【請求項５】
基地局を介してメールデータの送受信が可能な携帯電話装置であって、
メールデータを受信する受信手段と、該受信手段により受信された前記メールデータを記憶する記憶手段と、携帯電話装置の動作モードを、前記記憶手段に記憶されたメールデータを検索する検索モードに設定するモード設定手段と、該モード設定手段により検索モードに設定されたとき、前記記憶手段に記憶されたメールデータに関する情報を示した選択画面を表示する表示手段と、前記記憶手段に記憶された複数のメールデータから１つのメールデータを選択する選択手段と、該選択手段により選択されたメールデータがメロディデータを含むとき、前記メロディデータを着信音データとして登録するか否かを入力する入力手段と、該入力手段による入力に応じて前記メロディデータを着信音データとして登録する登録手段とを備えたことを特徴とする携帯電話装置。
【請求項６】
メールデータを受信する受信手段と、該受信手段によりメールデータを受信したことを示す受信表示を行う受信表示手段と、前記受信手段により受信された複数のメールデータを記憶する記憶手段と、該記憶手段に記憶された複数のメールデータに関する情報を表示する表示手段と、前記記憶手段に記憶された複数のメールデータから１つのメールデータを選択する選択手段と、該選択手段により選択されたメールデータがメロディデータを含むとき、前記メロディデータを再生する再生手段と、該再生手段により再生された前記メロディデータを着信音データとして設定するか否かを入力する手段と、該入力手段による入力に応じて前記メロディデータを着信音データとして設定する設定手段とを備えたことを特徴とする携帯電話装置。
【請求項７】
上記記憶手段に記憶された複数のメールデータに関する情報を表示する表示手段を備えた請求項１ないし３のいずれか１項に記載の携帯電話装置。
【請求項８】
上記表示手段は前記受信手段により受信したメロディデータに異常があるとき異常がある旨の表示を行う請求項４ないし７のいずれか１項に記載の携帯電話装置。
【請求項９】
上記記憶手段は前記メールデータとともに前記メールデータを受信した日時を記憶する請求項１ないし６のいずれか１項に記載の携帯電話装置。
【請求項１０】
上記記憶手段の空き領域が少ないとき他のメールデータが記憶されている領域に前記受信手段により受信したメールデータを記憶する請求項１ないし６のいずれか１項に記載の携帯電話装置。
【請求項１１】
登録時に上記記憶手段の空き領域がないときに、既に登録された着信音データの記憶領域に新たな着信音データを上書きする請求項１ないし６のいずれか１項に記載の携帯電話装置。
【請求項１２】
上記記憶手段の容量を確認してメロディデータの受信が可能か否かを判断する請求項１ないし６のいずれか１項に記載の携帯電話装置。
【請求項１３】
メールデータにメロディデータが含まれるか否かを判断する受信データ判定手段を備え、メロディデータが含まれる場合にメロディデータに基づきメロディを発生する請求項１ないし６のいずれか１項に記載の携帯電話装置。
【請求項１４】
受信したメールデータの受信日時・受信メッセージを表示する表示部を有することを特徴とする請求項１ないし１３のいずれかに記載の携帯電話装置。
【発明の詳細な説明】
【０００１】
【発明の属する技術分野】
本発明は、他の電話装置を呼び出す発呼時又は他の電話装置との通話時に、他の電話装置に対して任意のメールデータを送信する送信機能、及び該メールデータを受信する受信機能、を有する電話装置に関する。
【０００２】
【従来の技術】
従来より、携帯電話装置用の電話回線網が行うサービスの一つとして、発呼者側の電話装置から、呼出先の電話番号に任意のメールデータを付与した発呼信号が発信されると、その電話番号に対応した着呼者側の電話装置に対して、そのメールデータを付与した呼出信号を送信することで、着呼者側で、発呼者側からのメールデータを利用できるようにしたメール転送サービスが知られている。
【０００３】
そして、こうした電話回線網においてメール転送サービスを享受し得る電話装置として、発呼時には、数十〜百数字程度の短い文字列からなるメッセージデータを電話番号に付与した発呼信号を電話回線網に発信でき、電話回線網から呼出信号を受けて着信音を発生する着呼時には、呼出信号にメッセージデータが付与されていれば、そのメッセージデータに従い、ＬＣＤ等の表示装置にメッセージを表示するように構成された電話装置が知られている。
【０００４】
また、電話装置によっては、電話回線網を介して接続された通話先の電話装置との間で、通話中にメールデータを送受信できるようにしたものも知られている。そして、この種の電話装置は、使用者が、通話中にメールデータの送信又は受信を指令することで、送信側の電話装置が予めメールデータとして登録されたメッセージデータを送信し、受信側の電話装置がそのメールデータを受信してメモリ等に記憶するようにされている。
【０００５】
【発明が解決しようとする課題】
しかし、上記従来の電話装置において、発呼時又は通話時に送受信可能なメールデータは、文字列からなるメッセージデータに限られていた。このため、例えば、発呼時にメールデータを送信した際、着呼者側では、着信音が鳴る度に、表示画面を見て、電話をかけてきた相手やメッセージの有無等を確認しなければならず、使い勝手が悪いとか、或いは、例えば、誕生日のお祝いのメッセージを送信する際に、所望のメロディを付与したい、というような要求に応えることができず、任意のメールデータを送受信可能であるにもかかわらず、その機能を充分利用することができない、といった問題があった。
【０００６】
本発明は、こうした問題に鑑みなされたもので、発呼時或いは通話時にメールデータを送受信可能な電話装置において、メールデータの送受信機能を最大限利用できるようにすることで、電話装置の使い勝手を向上することを目的とする。
【０００７】
【課題を解決するための手段】
かかる目的を達成するためになされた項１記載の発明は、メロディデータを含むメールデータの送受信が可能で、登録されている着信音データを変更することのできる携帯電話装置であって、メールデータ及びメロディデータを含むメールデータを受信する受信手段と、該受信手段により受信された複数のメールデータを記憶する記憶手段と、該記憶手段に記憶された複数のメールデータから１つのメールデータを選択する選択手段と、該選択手段の操作によりメロディデータを含む１つのメールデータが選択されたとき、選択されたメールデータに含まれるメロディデータを再生する再生手段と、該再生手段により再生されたメロディデータの登録を指示する登録指令が所定の操作により入力されたとき、該メロディデータを着信音データとして登録する登録手段とを備えた携帯電話装置である。
【０００８】
項１記載の携帯電話装置によれば、既に登録されていた着信音データを、受信したメールデータの中から選択したメロディデータに変更することができる。
【０００９】
項２記載の発明は、基地局を介してメールデータの送受信が可能な携帯電話装置であって、メールデータを受信する受信手段と、該受信手段によりメールデータを受信したことを示す受信表示を行う受信表示手段と、前記受信手段により受信された複数のメールデータを記憶する記憶手段と、該記憶手段に記憶された複数のメールデータから１つのメールデータを選択する選択手段と、該選択手段によりメロディデータを含む１つのメールデータが選択されたとき、選択されたメールデータに含まれるメロディデータを再生する再生手段と、該再生手段により再生されたメロディデータを着信音データとして設定するか否かを入力する入力手段と、該入力手段による入力に応じて前記メロディデータを着信音データとして設定する設定手段とを備えた携帯電話装置である。
【００１０】
項３記載の発明は、メロディデータを含むメールデータの送受信が可能で、登録されている着信音データを変更することのできる携帯電話装置であって、メールデータを受信する受信手段と、該受信手段により受信された複数のメールデータを記憶する記憶手段と、該記憶手段に記憶された複数のメールデータから１つのメールデータを選択する選択手段と、該選択手段により選択されたメールデータにメロディデータが含まれるとき、該メロディデータを再生する再生手段と、該再生手段により再生されたメロディデータを着信音データとして登録するか否かを指示する指示手段と、該指示手段による指示に応じて前記メロディデータを着信音データとして登録する登録手段とを備えた携帯電話装置である。
【００１１】
項３記載の携帯電話装置によれば、登録されていた着信音データを、受信したメールデータに含まれたメロディデータに変更することができる。
【００１２】
項４記載の発明は、登録されている着信音データを変更することが可能な携帯電話装置であって、メールデータを受信する受信手段と、該受信手段により受信された複数のメールデータを記憶する記憶手段と、該記憶手段に記憶された複数のメールデータに関する情報を示した選択画面を表示する表示手段と、前記記憶手段に記憶された複数のメールデータから１つのメールデータを選択する選択手段と、該選択手段によりメロディデータを含む１つのメールデータが選択されたとき、該メールデータに含まれるメロディデータを再生する再生手段と、該再生手段により再生された前記メロディデータの登録を指示する登録指令が入力されたとき前記メロディデータを着信音データとして登録する登録手段とを備えた携帯電話装置である。
【００１３】
項５記載の発明は、基地局を介してメールデータの送受信が可能な携帯電話装置であって、メールデータを受信する受信手段と、該受信手段により受信された前記メールデータを記憶する記憶手段と、携帯電話装置の動作モードを、前記記憶手段に記憶されたメールデータを検索する検索モードに設定するモード設定手段と、該モード設定手段により検索モードに設定されたとき、前記記憶手段に記憶されたメールデータに関する情報を示した選択画面を表示する表示手段と、前記記憶手段に記憶された複数のメールデータから１つのメールデータを選択する選択手段と、該選択手段により選択されたメールデータがメロディデータを含むとき、前記メロディデータを着信音データとして登録するか否かを入力する入力手段と、該入力手段による入力に応じて前記メロディデータを着信音データとして登録する登録手段とを備えた携帯電話装置である。
【００１４】
項６記載の発明は、メールデータを受信する受信手段と、該受信手段によりメールデータを受信したことを示す受信表示を行う受信表示手段と、前記受信手段により受信された複数のメールデータを記憶する記憶手段と、該記憶手段に記憶された複数のメールデータに関する情報を表示する表示手段と、前記記憶手段に記憶された複数のメールデータから１つのメールデータを選択する選択手段と、該選択手段により選択されたメールデータがメロディデータを含むとき、前記メロディデータを再生する再生手段と、該再生手段により再生された前記メロディデータを着信音データとして設定するか否かを入力する手段と、該入力手段による入力に応じて前記メロディデータを着信音データとして設定する設定手段とを備えた携帯電話装置である。
【００１５】
項７記載の発明は、上記記憶手段に記憶された複数のメールデータに関する情報を表示する表示手段を備えた項１ないし３のいずれか１項に記載の携帯電話装置である。
【００１６】
項８記載の発明は、上記表示手段は前記受信手段により受信したメロディデータに異常があるとき異常がある旨の表示を行う項４ないし７のいずれか１項に記載の携帯電話装置である。
【００１７】
項９記載の発明は、上記記憶手段は前記メールデータとともに前記メールデータを受信した日時を記憶する１ないし６のいずれか１項に記載の携帯電話装置である。
【００１８】
項１１記載の発明は、登録時に上記記憶手段の空き領域がないときに、既に登録された着信音データの記憶領域に新たな着信音データを上書きする携帯電話装置である。
【００１９】
項１２記載の発明は、メモリ容量を確認してメロディデータの受信が可能か否かを判断する携帯電話装置である。
【００２０】
項１３記載の発明は、メールデータにメロディデータが含まれるか否かを判断する受信データ判定手段を備え、メロディデータが含まれる場合にメロディデータに基づきメロディを発生する携帯電話装置である。
【００２１】
項１４記載の発明は、受信したメールデータの受信日時・受信メッセージを表示部に表示する携帯電話装置である。
【００４０】
【発明の実施の形態】
以下に本発明の一実施例を図面と共に説明する。
図１は本発明（詳しくは請求項１〜請求項６）が適用された実施例の携帯電話装置１の回路構成を表すブロック図であり、図２はその携帯電話装置１を操作部側から見た外観図である。
【００４１】
本実施例の携帯電話装置１は、前述のメール転送サービスを行う電話回線網において使用するためのものであり、図２に示す如く、一般的な携帯電話装置と同様、片手で持って操作でき、且つ携帯に便利なように長尺状に形成されている。そして、その中央部には、操作部２として、呼出先の電話番号を入力するための「０〜９，＊，＃」のテンキーと、携帯電話装置１の動作モードを切り換えたり各種指令を入力するための各種機能キーとからなる多数のキースイッチが配置されている。また、この操作部２の下方には、通話時に使用者が音声を入力するためのマイクロフォン５が設けられ、操作部２の上方には、他の電話装置から送信されてきたメッセージや、携帯電話装置１の操作案内，動作状況等を表示するための液晶表示装置（ＬＣＤ）からなる表示部３が設けられ、更に、その上方には、通話時に耳を当てて電話回線網や通話相手から送られてくる音声信号を再生するためのスピーカ４が設けられている。また、このスピーカ４より上方の先端部には、伸縮可能に形成されたロッドアンテナ６が設けられ、このロッドアンテナ６を介して、電話回線網側の基地局との間で無線通信ができるようにされている。
【００４２】
尚、操作部２を構成する各種キーは、本発明の発信指令入力手段，メロディデータ入力手段，メッセージデータ入力手段，指令入力手段として機能する。そして、図２において、テンキーには「０〜９，＊，＃」の記号が付与されているが、テンキーは、後述のメロディ入力時に「ド，レ，ミ，…」といった音階を入力したり、メッセージ入力時に文字を入力するのにも使用される。
【００４３】
一方、携帯電話装置１には、図１に示すように、通話用のスピーカ４とは別に、電話回線網から呼出信号が送信されてきたときに着信音を発生したり、他の案内音を発生して、使用者を呼び出すためのスピーカ８が内蔵されている。また、携帯電話装置１内には、アンテナ６を介して基地局との間で無線通信を行うための送受信部１２、後述の着信音データを記憶する着信音データ記憶手段としての着信音記憶部１４、電話回線網からの呼出信号に付与された他の電話装置からのメールデータを受信データとして記憶する、受信データ記憶手段としての受信データ記憶部１６、コンピュータ等の他の装置との間でデータを入出力するためのインタフェース部（以下、Ｉ／Ｆ部という）１８、及び、上記各部に接続されて、各種制御処理を行うための制御部１０も設けられている。
【００４４】
制御部１０は、ＣＰＵ，ＲＯＭ，ＲＡＭ等からなるマイクロコンピュータを中心に構成されており、一般的な携帯電話装置としての機能を実現するための各種制御処理、即ち、送受信部１２から電話回線網に対して、他の電話装置を呼び出すための発呼信号を送信させる発呼処理、基地局から呼出信号が送信されてきたときにスピーカ８から着信音を発生させる受信処理、着信音の発生により使用者が携帯電話装置１を電話回線網に接続する指令を入力した際に、送受信部１２を介して当該携帯電話装置１を電話回線網に接続させる接続処理、発呼処理により呼出先の電話装置が電話回線網に接続されて、その着呼者側の電話装置との通話が可能になったときや、接続処理により当該携帯電話装置１が電話回線網に接続されて、発呼者側の電話装置との通話が可能になったときに、使用者がマイクロフォン５から入力した音声信号を送受信部１２から基地局側に送信したり、電話回線網（換言すれば着呼者側の電話装置）から送信されてきた音声信号にて、スピーカ４から音声を発生させる音声入出力処理等を実行する。
【００４５】
また、制御部１０は、電話回線網のメール転送サービスを有効に利用するために、発呼時に、電話回線網を介して、呼出先の電話装置にメッセージデータを送信したり、電話回線網から呼出信号を受けた着呼時に、その呼出信号に付与されたメッセージデータに従い、発呼者側からのメッセージを表示部３に表示する、一般的なメッセージ送受信用の処理に加えて、使用者が作曲したメロディデータを、電話回線網を介して、呼出先の電話装置に送信したり、着呼時に、電話回線網からの呼出信号に付与されたメロディデータに対応した着信音を発生させるメロディデータ送受信用の処理を実行する。
【００４６】
以下、こうしたメロディデータの送受信のために制御部１０において実行される制御処理について、図３〜図７のフローチャートに沿って説明する。尚、制御部１０には、こうしたデータ通信を行うために、メッセージデータやメロディデータを送信用の信号に変換するエンコーダ１０ａ、及び受信信号からメッセージデータやメロディデータを復元するデコーダ１０ｂが内蔵されている。
【００４７】
まず図３は、本実施例の携帯電話装置１において着信音を生成するのに使用したり、他の電話装置を呼び出す際にメールデータとして送信するための着信音データを作成する着信音データ作成処理を表す。
この処理は、使用者が操作部２に設けられた機能選択用のキーを操作して、当該装置の動作モードを着信音作成モードに設定した際に実行される処理であり、処理が開始されると、まずＳ１１０（Ｓはステップを表す）にて、使用者が操作部２のテンキー（このときテンキーはメロディデータ入力手段として機能する）を操作して、所望のメロディを構成する各音毎に「ド，レ，ミ…」といった音階又は休止を表す音階データとその長さ（時間）を表す長さデータとを順に入力してくるのを受け付ける、メロディ入力処理を実行する。そして、続くＳ１２０では、使用者が操作部２の確定キーを操作してメロディ入力の終了指令を入力したか否かを判定し、終了指令が入力されていなければ、再度Ｓ１１０に移行することにより、使用者がメロディ入力を終了するのを待つ。
【００４８】
次に、Ｓ１２０にてメロディ入力の終了指令が入力されたと判断されると、今度は、Ｓ１３０に移行して、使用者が操作部２のテンキー（このときテンキーはメッセージデータ入力手段として機能する）を操作することにより、先に入力したメロディの曲名或いはこのメロディと一緒に呼出先の電話装置に送信するメッセージ等の文字列を入力するのを受け付ける、文字列入力処理を実行する。そして、続くＳ１４０では、使用者が操作部２の確定キーを操作して文字列入力の終了指令を入力したか否かを判定し、終了指令が入力されていなければ、再度Ｓ１３０に移行することにより、使用者が文字列入力を終了するのを待つ。
【００４９】
尚、Ｓ１１０のメロディ入力処理及びＳ１３０の文字列入力処理の実行中には、その入力用の案内や、使用者が入力した音階，その長さ，文字列等を表す画像を表示部３に表示する。
次に、Ｓ１４０にて文字列入力の終了指令が入力されたと判断されると、今度は、Ｓ１５０に移行して、使用者が操作部２の発信キー（発信指令入力手段に相当）を操作することにより、他の電話装置を呼び出す発信指令を入力したか否かを判断し、発信指令が入力されていなければ、続くＳ１６０に移行して、使用者が操作部２の所定の機能キーを操作することにより、着信音データの登録指令を入力したか否かを判断する。そして、使用者がこの登録指令を入力していなければ、再度Ｓ１５０に移行し、Ｓ１５０及びＳ１６０の処理を繰り返し実行することにより、使用者が発信指令又は登録指令を入力するのを待つ。尚、この待機状態で、使用者が終了キーを操作すれば、そのまま当該処理を終了する。
【００５０】
次に、Ｓ１６０にて、使用者が着信音データの登録指令を入力したと判断されると、続くＳ１７０に移行して、Ｓ１１０のメロディ入力処理で受け付けた音階データと長さデータとの組み合わせからなるメロディデータと、Ｓ１３０で受け付けた曲名又はメッセージを表す文字列データとを、一つの着信音データとして、着信音記憶部１４に登録する、着信音データ登録手段としての処理を実行し、当該処理を終了する。
【００５１】
尚、着信音記憶部１４はメモリからなり、登録可能な着信音データ数は限られるため、この登録時に空き容量がなければ、既に登録された着信音データの記憶領域に新たな着信音データを上書きすることになるが、着信音データの上書きや新規登録等は登録番号を指定することにより行われる。
【００５２】
一方、Ｓ１５０にて、使用者が発信指令を入力したと判断されると、Ｓ１８０に移行して、Ｓ１１０のメロディ入力処理で受け付けた上記メロディデータとＳ１３０で受け付けた文字列データ（この場合、文字列が曲名であっても呼出先の電話装置に対するメッセージデータとなる）とから、電話回線網を介して呼出先の電話装置に送信可能なメロディ送信データを、エンコーダ１０ａにて作成する。そして、続くＳ１９０では、使用者が操作部２を操作することにより入力又は指定してくる電話番号に上記メロディ送信データを付与した発呼信号を生成し、この発呼信号を送受信部１２から電話回線網に発信させる、発呼手段としての発呼処理を実行し、当該処理を終了する。
【００５３】
尚、この発呼処理により電話回線網に送信されるメロディ送信データは、電話回線網がメールデータとして認識可能なデータ構造になっており、図８（ａ）に示す如く、データ内容を表すヘッダと、上記入力された文字列に対応するメッセージデータと、上記入力されたメロディデータとから構成される。また、メッセージデータは、図８（ｂ）に示すように、文字列を構成する各文字を表す文字コードと、その先頭にヘッダとして付与した文字数を表すデータ長とから構成され、メロディデータは、図８（ｃ）に示すように、メロディを構成する各音の音階又は休止を表す音階データとその長さ（時間）を表す長さデータとからなる音符情報と、その先頭にヘッダとして付与した音符数を表すデータ長とから構成される。
【００５４】
次に、図４は、着信音記憶部１４に登録された着信音データを用いて着信音を発生させることにより、その着信音を当該携帯電話装置１において通常使用する標準着信音として設定する着信音再生・変更処理を表す。
この処理は、本発明の着信音データ選択手段及び着信音設定手段としての機能を有する処理であり、使用者が操作部２に設けられた機能選択用のキーを操作して、着信音変更指令を入力した際に実行される。そして、処理が開始されると、まずＳ２１０にて、着信音記憶部１４に登録されている着信音データの登録番号等を表示部３に表示することにより、着信音データの登録状況を使用者に案内する。
【００５５】
次に、Ｓ２２０では、表示部３に表示した案内画像を見て、使用者が操作部２のテンキーを操作することにより、再生したい着信音の登録番号を着信音データ選択指令として入力するのを受け付ける、登録番号入力処理を実行し、続くＳ２３０にて、使用者が入力した登録番号に対応した着信音データを着信音記憶部１４から読み出し、その着信音データに含まれる文字列データを表示部３に表示する。尚、Ｓ２３０では、着信音データに文字列データが設定されていなければ、文字列データが存在しない旨を表示する。
【００５６】
また続くＳ２４０では、上記読み出した着信音データに含まれるメロディデータに従いメロディを生成して、スピーカ８を鳴動させる、メロディ再生処理を実行し、続くＳ２５０にて、その再生したメロディを、その後、当該装置で使用する標準の着信音として設定し（換言すれば、今回メロディの再生に用いたメロディデータを着信音生成用のデータとして設定し）、当該処理を終了する。
【００５７】
また次に、図５は、着信音記憶部１４に登録された着信音データをメールデータとして呼出先の電話装置に送信するメロディ送信処理を表す。
この処理は、本発明（特に請求項５）の着信音データ選択手段及び発呼手段としての機能を有する処理であり、使用者が操作部２に設けられた機能選択用のキーを操作して、当該装置の動作モードを着信音データの送信モードに設定した際に実行される。そして、この処理が開始されると、まずＳ３１０にて、上記Ｓ２１０と同様に、着信音記憶部１４への着信音データの登録状況を使用者に案内し、続くＳ３２０にて、上記Ｓ２２０と同様に、使用者が操作部２を操作してメールデータとして送信したい着信音の登録番号を着信音データ選択指令として入力するのを受け付ける、登録番号入力処理を実行する。
【００５８】
また、続くＳ３３０では、上記Ｓ２３０と同様に、使用者が入力した登録番号に対応した着信音データに含まれる文字列データを表示部３に表示する。そして、続くＳ３４０では、上記読み出した着信音データに含まれるメロディデータの内、発呼信号として送信可能な量のデータに従いメロディを生成して、スピーカ８を鳴動させる、送信可能メロディ再生処理を実行する。
【００５９】
つまり、着信音記憶部１４に登録される着信音データは、基本的には、自己の着信音を発生するためのデータであり、着信音記憶部１４に記憶できるデータ量であればよいが、発呼信号として送信可能なメールデータは、電話回線網側の規定によって制限され、その上限は、着信音記憶部１４に記憶可能なデータ量よりも少ないことから、Ｓ３４０では、着信音記憶部１４に記憶された着信音データの内、メールデータとして送信可能なメロディデータのみを用いてメロディを生成してスピーカ８を鳴動させることにより、電話回線網を介して呼出先の電話装置に実際に送信されるメロディを再生するのである。
【００６０】
そして、続くＳ３５０では、使用者が操作部２の発信キーを操作して発信指令を入力したか否かを判断することにより、発信指令が入力されるのを待ち、発信指令が入力されると、Ｓ３６０に移行して、上記Ｓ１８０と同様に、上記選択・表示・再生した着信音データからメロディ送信データを作成する。また、続くＳ３７０では、上記Ｓ１９０と同様に、電話番号にメロディ送信データを付与した発呼信号を生成し、この発呼信号を送受信部１２から電話回線網に発信させる発呼処理を実行し、当該処理を終了する。尚、Ｓ３５０における発信指令の待機中に、使用者が終了キーを操作すれば、そのまま当該処理を終了する。
【００６１】
次に、図６は、携帯電話装置１の動作モードが通常モードであるときに、電話回線網の基地局から当該装置に対して送信された呼出信号を送受信部１２が受信した際に実行される受信処理を表す。
図６に示す如く、この処理が開始されると、まずＳ４１０にて、デコーダ１０ｂを用いて、送受信部１２より入力される受信信号から、呼出信号に付与された受信データをデコード（復元）し、続くＳ４２０にて、その受信データを受信データ記憶部１６に保存する。尚、受信データ記憶部１６は、着信音記憶部１４と同様にメモりから構成されており、デコードした受信データは、データ番号，受信した日時等と共に、受信データ記憶部１６に格納される。また、受信データの保存時に受信データ記憶部１６の空き領域が少ないときには、古い受信データや使用者が指定した受信データ等のデータ領域に、今回受信した受信データが書き込まれる。
【００６２】
こうして受信データが受信データ記憶部１６に保存されると、続くＳ４３０にて、この受信データには、メッセージデータ，メロディデータ，或いはメロディデータとメッセージデータとからなるデータ等の、メールデータが含まれているか否かを判断する。また、受信データにメールデータが含まれている場合には、続くＳ４４０にて、そのメールデータには、メロディデータが含まれているか否か（つまり、メールデータは、メロディデータ或いはメロディデータとメッセージデータとからなるデータであるか否か）を判断する、データ付与判定手段としての処理を実行する。そして、メールデータにメロディデータが含まれている場合には、続くＳ４５０に移行し、表示部３に、着信案内と、メールデータに含まれるメッセージデータが表す受信メッセージとを、所定時間毎に交互に表示する着信表示を行う。
【００６３】
尚、Ｓ４５０が行う着信表示は、本発明のメッセージ表示手段としての機能を実現する処理であり、具体的には、例えば、受信データ記憶部１６に保存した受信データの内のメールデータ以外のデータ、つまり、受信データを受信した日時と発呼者側の電話装置から送信されてきた発呼者側の電話番号とを着信案内として１秒間表示し、次に、メールデータに含まれるメッセージデータが表す受信メッセージを１秒間表示する、といった手順で実行される。またメールデータにメッセージデータが含まれていない場合（つまりメールデータがメロディデータのみの場合）は、メッセージなしを表示する。
【００６４】
そして、Ｓ４５０で表示部３に着信表示を行うと、続くＳ４６０にて、当該装置は、使用者からの指令によって、着信音の変更許可が設定されているか否かを判断する。つまり、本実施例の携帯電話装置１は、発呼者側の電話装置から送信されてきたメロディデータに従い着信音を変更する機能を有するが、使用者が着信音を変更したくないこともあるので、着信音の変更については、使用者が適宜設定できるようにされており、Ｓ４６０では、着信音変更の可否を、既に設定されている動作データに基づき判定するのである。
【００６５】
そして、着信音の変更許可が設定されている場合には、続くＳ４７０に移行して、今回受信したメールデータに含まれるメロディデータに従いメロディを生成して、スピーカ８を鳴動させる、受信メロディ再生処理（着信音発生手段に相当）を実行し、続くＳ４８０にて、通話処理を実行する。尚、Ｓ４８０では、発呼側の電話装置が電話回線網との接続を遮断して、呼出信号の受信が停止されるか、使用者が当該装置を電話回線網に接続して通話を行い、電話回線網との接続を遮断するまでの、一連の通話用の処理を行う。
【００６６】
次に、Ｓ４４０にて受信したメールデータにはメロディデータが含まれていないと判断された場合、つまり、メールデータがメッセージデータのみである場合には、続くＳ４９０に移行して、上記Ｓ４５０と同様に、表示部３に着信案内と受信メッセージとを交互に表示し、続くＳ５００にて、予め設定されている標準着信音にて着信音を発生した後、Ｓ４８０に移行し、上記通話処理を実行する。
【００６７】
また、Ｓ４３０にて受信データにはメールデータが含まれていないと判断された場合には、Ｓ５１０にて、受信日時と発呼者側の電話番号とからなる着信案内のみを表示部に表示し、続くＳ５００にて、予め設定されている標準着信音にて着信音を発生した後、Ｓ４８０に移行し、上記通話処理を実行する。
【００６８】
そして、Ｓ４８０の通話処理が終了すると、今度は、Ｓ５２０にて、再び、今回受信した受信データには、メールデータが含まれていたか否かを判定し、メールデータが含まれていなければ、当該処理を終了する。また、受信データにメールデータが含まれていた場合には、続くＳ５３０に移行して、表示部３に、今回メールデータを受信した旨を表す案内（メール受信）を表示し、続くＳ５４０にて、所定の通知音をスピーカ８から発生させた後、当該処理を終了する。
【００６９】
次に、図７は、受信データ記憶部１６に保存された受信データを検索して、所望のメロディデータを着信音データとして、着信音記憶部１４に登録する受信メロディ検索・登録処理を表す。
この処理は、本発明の受信データ検索手段及び受信データ登録手段としての機能を有する処理であり、上記受信処理のＳ５３０にてメール受信を表示した状態が継続している状態（換言すれば、図６の受信処理を実行した後、装置の動作モードが変更されていない状態）で、使用者により受信データ選択用のキーが操作されたとき、或いは、使用者が操作部２に設けられた機能選択用のキーを操作して、当該装置の動作モードを受信データの検索モードに設定したときに実行される。
【００７０】
そして、この処理が開始されると、まずＳ６１０にて、メロディデータが含まれる受信データの選択画面を表示部３に表示し、使用者がその画面を見ながら、操作部２を操作して、所望の受信データのデータ番号を受信データ検索指令として入力するのを受け付けるデータ番号入力処理を実行する。そして、続くＳ６２０では、その入力されたデータ番号の受信データ（受信日時・受信メッセージ等）を表示部３に表示し、続くＳ６３０にて、受信データ中のメロディデータに従い受信メロディを再生する。
【００７１】
次に、Ｓ６４０では、使用者が操作部２の所定の機能キーを操作することにより、受信データの再検索を指令したか否かを判断し、再検索の指令がなされた場合には、再度Ｓ６１０〜Ｓ６３０の処理を実行する。また、Ｓ６４０にて、使用者から再検索の指令がなされていないと判断されると、Ｓ６５０に移行して、今度は、使用者が操作部２の終了キーを操作して当該処理の終了指令を入力したか否かを判定し、終了指令が入力された場合には、そのまま当該処理を終了する。
【００７２】
また、Ｓ６５０にて、使用者が終了指令を入力していないと判断されると、続くＳ６６０に移行して、使用者が操作部２の所定の機能キーを操作することにより、受信データの登録指令を入力したか否かを判断する。そして、受信データの登録指令が入力されていなければ、再度Ｓ６４０に移行し、受信データの登録指令が入力された場合には、Ｓ６７０に移行して、Ｓ６３０の受信メロディ再生処理で再生したメロディデータを含む受信データを、着信音データとして、着信音記憶部１４に登録し、当該処理を終了する。尚、着信音記憶部１４への着信音データの登録は、上記Ｓ１７０と同様に実行される。
【００７３】
以上説明したように、本実施例の携帯電話装置１においては、呼出先の電話装置を呼び出す発呼信号を発信する際、使用者が作曲して着信音記憶部１４に登録した着信音データを、メッセージデータとして、電話回線網に発信できる。このため、発呼時に、電話回線網を介して、メロディデータ、又はメロディデータとメッセージデータとを、着呼者側の電話装置に送信できる。また、電話回線網から送信されてくる呼出信号にメロディデータが含まれている場合には、そのメロディデータに応じた着信音を発生できる。
【００７４】
従って、上述のメール転送サービスを行う電話回線網において、本実施例の携帯電話装置１を用いるようにすれば、発呼者が受呼者側の着信音を任意に設定できることになり、着呼者側では、電話をかけてきた相手を、着信音から直感的に知ることができ、極めて使い勝手のよい電話システムを構築できる。
【００７５】
また、本実施例の携帯電話装置１においては、発呼者側より受けたメールデータを受信データ記憶部１６に記憶しておき、必要に応じて、その記憶した受信データの中から所望のメロディデータを含む受信データを選択し、着信音記憶部１４に着信音データとして登録できるので、自己の着信音を他の電話装置から受け取ったメロディに変更することができ、発呼者側より送信されてきたデータを有効利用することができる。
【００７６】
また、着信音データとして登録したデータは、発呼時に、呼出先の電話装置に送信できるので、例えば、グループ間でメッセージのみを送受信する際に、各電話装置の着信音を共通にするといったこともでき、携帯電話装置１の利便性を向上できる。
【００７７】
以上、請求項１〜請求項６に記載の発明を適用した実施例の携帯電話装置１について説明したが、請求項７〜請求項１０に記載の発明についても、上記実施例の携帯電話装置１と略同様のハード構成を利用することにより、容易に実現できる。
【００７８】
そこで、次に、請求項７〜請求項１０に記載の発明を適用した実施例の携帯電話装置を、本発明の第２実施例として説明する。
まず請求項７〜請求項１０に記載の携帯電話装置を実現する際には、上記実施例の携帯電話装置１において、図１に示したメールデータ送信用のエンコーダ１０ａを、メールデータをＤＴＭＦ信号に変換して送受信部１２に出力するように構成し、メールデータ受信用のデコーダ１０ｂを、送受信部１２から入力される受信信号に含まれるＤＴＭＦ信号からメールデータを復元するように構成する。そして、制御部１０において実行するメールデータ送受信のための処理を図９に示す如く実行し、更に、受信したメールデータの読出を図１０に示す如く実行する。
【００７９】
図９は、着信音記憶部１４に、図３に示した着信音データ作成処理と同様の手順で、送信すべきメールデータ（メッセージデータ及びメロディデータ）が記憶されている場合に、使用者が操作部２を操作してメールデータの自動送信指令を入力することにより実行されるメール自動送信処理、及び、このメール自動送信処理に対応してメールを自動受信する際に実行されるメール自動受信処理を表すフローチャートである。
【００８０】
尚、この場合、着信音記憶部１４が、請求項７に記載のメッセージデータ記憶手段として機能し、操作部２が、請求項７に記載の送信指令入力手段として機能し、図３に示した着信音データ生成処理が、請求項７に記載のメロディデータ入力手段として機能することになる。また、メール自動受信処理は、携帯電話装置が、メールデータを自動受信するように、動作モードが使用者により設定されている場合に実行される処理である。
【００８１】
図９に示す如く、メール自動送信処理では、まずＳ７０５にて、電話回線網に対して、メールデータを送信すべき他の携帯電話装置を呼び出す発呼信号を送信し、続くＳ７１０にて、この発呼信号の送信により、電話回線網を介して、メールデータを送信すべき携帯電話装置に接続されたか否かを判断することにより、回線が接続されるのを待つ。そして、回線が接続されると、Ｓ７１５にて、着信音記憶部１４から、使用者が自動送信指令の入力と同時に指定してきた送信用のメールデータを構成するメッセージデータを読み出し、ＤＴＭＦ信号に変換して送信する。
【００８２】
一方、発呼側の携帯電話装置が送信した発呼信号に対応した着呼側の携帯電話装置では、メール自動受信処理を実行することにより、まず、Ｓ８０５にて、電話回線網からの呼出信号を受信したか否かを判断する。そして、呼出信号を受信できていなければ、再度Ｓ８０５を実行することにより、呼出信号を受信するのを待ち、呼出信号を受信すると、当該携帯電話装置を電話回線網に接続する。すると、発呼側の携帯電話装置は、上記Ｓ７１５の処理により、メッセージデータを送信してくるので、続くＳ８１５にて、その後所定時間経過する間に、メッセージデータを受信できたか否かを判断し、メッセージデータを受信できなければ、何らかの異常があると判断して、Ｓ８６５にて電話回線を遮断し、当該処理を終了する。
【００８３】
また、Ｓ８１５にて、メッセージデータを受信できたと判断すると、Ｓ８２０にて、この受信したメッセージデータは正常であるかどうかを確認して、正常であれば、このメッセージデータを、メールデータ記憶手段（請求項８）としての受信データ記憶部１６に記憶する、メッセージデータの保存処理を実行する。そして、続くＳ８２５では、メッセージデータの受信状態（正常／異常）を表すメッセージ受信コードを、ＤＴＭＦ信号にて発呼側の携帯電話装置に送信する。
【００８４】
すると、発呼側の携帯電話装置は、Ｓ７２０にて、このメッセージ受信コードを受信して、バッファ等に一時記憶し、続くＳ７２５にて、今度は、メールデータとして送信すべきメロディデータがあるか否かを判断する。そして、着呼側に送信すべきメロディデータがないと判断されると、Ｓ７５０に移行し、逆に着呼側に送信すべきメロディデータがあると判断されると、Ｓ７３０に移行して、これからメロディデータを送信する旨を表すメロディ有コードを、ＤＴＭＦ信号にて着呼側に送信する。
【００８５】
一方、着呼側の携帯電話装置は、Ｓ８２５でメッセージ受信コードを送信した後は、Ｓ８３０にて、その後所定時間経過する間に、メロディ有コードを受信したか否かを判断し、メロディ有コードを受信できなければ、Ｓ８６５に移行し、逆にメロディ有コードを受信できた場合には、Ｓ８３５にて、メモリ容量の確認等により、現在、メロディデータの受信が可能か否かを判断する。そして、メロディデータの受信ができない場合には、Ｓ８６５に移行し、逆にメロディデータを受信できる場合には、Ｓ８４０にて、その旨を表す受信可能コードを、ＤＴＭＦ信号にて発呼側の携帯電話装置に送信する。
【００８６】
このため、発呼側の携帯電話装置では、Ｓ７３０にてメロディ有コードを送信した後、Ｓ７３５で、その後所定時間経過する間に、受信可能コードを受信したか否かを判断し、受信可能コードを受信できなければ、Ｓ７５０に移行し、逆に、受信可能コードを受信できた場合には、Ｓ７４０に移行して、着呼側の携帯電話装置にメロディデータをＤＴＭＦ信号にて送信する。
【００８７】
また、着呼側の携帯電話装置は、Ｓ８４０にて、受信可能コードを送信すると、続くＳ８４５にて、メロディデータを受信したか否かを判断することにより、メロディデータの受信が完了するのを待ち、メロディデータの受信が完了すると、Ｓ８５０に移行して、受信したメロディデータは正常であるかどうかを確認して、正常であれば、メロディデータを受信データ記憶部１６に記憶する、メロディデータの保存処理を実行する。そして、続くＳ８５５では、メロディデータの受信状態（正常／異常）を表すメロディ受信コードを、ＤＴＭＦ信号にて発呼側の携帯電話装置に送信し、続くＳ８６０にて、上記Ｓ８１５〜Ｓ８５５の一連のメールデータ受信処理によるメールデータの受信結果、つまり、メッセージデータの受信正常／異常、及び、メロディデータの受信正常／異常、を表示部３に表示し、Ｓ８６５に移行する。
【００８８】
また次に、発呼側の携帯電話装置では、Ｓ７４０にて、メロディデータを送信すると、続くＳ７４５で、着呼側の携帯電話装置から送信されてくるメロディ受信コードを受信・記憶する。そして、続くＳ７５０では、着呼側の携帯電話装置から送信されてきた各種コードに基づき、メールデータの送信結果を判定し、その判定結果、つまり、メッセージデータの送信正常／異常、及び、メロディデータの送信正常／異常を、表示部３に表示し、続くＳ７５５にて、電話回線を切断した後、当該処理を終了する。
【００８９】
尚、図９に示したメール自動送信処理及びメール自動受信処理では、メールデータを送信する携帯電話装置側にて、使用者が操作部２を介してメールデータの自動送信指令を入力することにより、メールデータの送受信を開始するが、本実施例の携帯電話装置は、電話回線網を介して他の携帯電話装置と接続されている通話中にも、各装置の使用者が、メールデータの送信指令及び受信指令を入力することにより、メールデータの送受信を開始する。そして、この場合のメールデータの送信処理では、図９に示したメール自動送信処理のＳ７１５〜Ｓ７５０の処理を実行し、メールデータの受信処理では、図９に示したメール自動受信処理のＳ８１５〜Ｓ８６０の処理を実行するようにされている。そして、各処理が終了すると、使用者が通話可能な通話状態に戻る。
【００９０】
次に、図１０は、上記メール自動受信処理或いはメールデータの受信処理にてメールデータを受信し、その受信したメールデータが受信データ記憶部１６に格納されているときに、使用者が操作部２を操作して、メールデータの読出指令を入力することにより実行されるメッセージ読出処理である。尚、この場合、操作部２は、請求項８に記載の読出指令入力手段として機能する。
【００９１】
図１０に示す如く、このメッセージ読出処理が開始されると、まずＳ９１０にて、受信データ記憶部１６からメールデータ（受信メール）を読み出し、続くＳ９２０にてその読み出したメールデータに含まれるメッセージデータに基づき、文字列からなるメッセージを表示部３に表示する、メールデータ読出手段（請求項８）としての処理を実行する。
【００９２】
そして、続くＳ９３０では、Ｓ９１０で読み出したメールデータに、メロディデータが含まれるか否かを判断する、受信データ判定手段（請求項８）としての処理を実行し、メールデータにメロディデータが含まれない場合には、そのまま当該処理を終了する。
【００９３】
一方、Ｓ９３０にて、上記読み出したメールデータにメロディデータが含まれると判断された場合には、Ｓ９４０にて、そのメロディデータに基づきメロディを再生するための音声信号を生成し、これをスピーカ８に出力することにより、スピーカ８からメロディを発生させる、メロディ再生手段（請求項８）としての処理を実行し、当該処理を終了する。
【００９４】
以上説明したように、第２実施例の携帯電話装置によれば、メールデータの送信を発呼時だけでなく、通話中にも行うことができる。また、メールデータを受信した際には、着信音を発生することなく、メールデータを受信データ記憶部１６に記憶しておき、その後使用者がメールデータの読出指令を入力したときに、メールデータを構成するメッセージデータを表示し、また、メールデータにメロディデータが含まれている場合には、そのメロディデータに従いスピーカ８を鳴動させて、メロディを再生するようにされている。
【００９５】
このため、本実施例の携帯電話装置によれば、メールデータの送信側使用者と受信側使用者とが、通話によってメールデータの送受信を打ち合わせた上で、メールデータを送受信させることもできるし、メールデータの送信側使用者が勝手にメールデータを送信した場合であっても、受信側で不用意に着信音が鳴るのを防止することもできる。よって、本実施例の携帯電話装置においても、メールデータの送受信機能を有効に利用することができる。
【００９６】
また特に、本実施例の携帯電話装置によれば、メールデータの送受信及びこれに伴う各種コードを送受信を、全て、ＤＴＭＦ信号を用いて行うようにしているので、メールデータの送受信に使用する電話回線網に制限はなく、どのような電話回線網であってもメールデータを送受信することが可能になる。
【００９７】
以上、本発明の一実施例について説明したが、本発明は上記実施例に限定されるものではなく、種々の態様を採ることができる。
例えば、上記２つの実施例の携帯電話装置では、メールデータの送受信のタイミングや、受信したメロディデータによるメロディの再生タイミング等が異なるが、これら各装置の機能は、夫々、有効であるため、上記各実施例の電話装置の機能を一つの電話装置に持たせ、その機能を使用者が必要に応じて選択できるように構成してもよい。
【００９８】
また、例えば上記実施例では、着信音データは、操作部２を操作することにより入力するものとして説明したが、上記携帯電話装置１には、外部のコンピュータ等からデータを直接入力可能なＩ／Ｆ部１８が備えられているので、このＩ／Ｆ部１８を介して、着信音データを入力するようにしてもよい。
【図面の簡単な説明】
【図１】携帯電話装置の回路構成を表すブロック図である。
【図２】携帯電話装置を操作部側から見た外観図である。
【図３】着信音データ作成処理を表すフローチャートである。
【図４】着信音再生・変更処理を表すフローチャートである。
【図５】メロディ送信処理を表すフローチャートである。
【図６】受信処理を表すフローチャートである。
【図７】受信メロディ検索・登録処理を表すフローチャートである。
【図８】メロディ送信データのデータ構造を表す説明図である。
【図９】第２実施例の携帯電話装置にて実行されるメール自動送信処理及び受信処理を表すフローチャートである。
【図１０】同じくメッセージ読出処理を表すフローチャートである。
【符号の説明】
２…操作部，３…表示部．４…スピーカ（通話用），５…マイクロフォン，６…アンテナ，８…スピーカ（呼出用），１０…制御部，１０ａ…エンコーダ，１０ｂ…デコーダ，１２…送受信部，１４…着信音記憶部，１６…受信データ記憶部，１８…Ｉ／Ｆ部。
【図１】
0003602322.tif 000002
【図２】
0003602322.tif 000003
【図３】
0003602322.tif 000004
【図４】
0003602322.tif 000005
【図５】
0003602322.tif 000006
【図６】
0003602322.tif 000007
【図７】
0003602322.tif 000008
【図８】
0003602322.tif 000009
【図９】
0003602322.tif 000010
【図１０】
0003602322.tif 000011